(57)【特許請求の範囲】
【請求項１】
水膨張性ゴムよりなる本体部の裏面側の中央部に非水膨張性ゴムを有する複層構造のシールドトンネル用止水材を略Ｔ字状に接続成形する止水材の接続構造において、一方の止水材には前記本体部の側面に前記非水膨張性ゴムが露出する深さ及び該側面に接続される他方の止水材の形状に切欠形成された凹部が形成され、該凹部内に前記他方に止水材の端部を嵌入させて、該接続部分の止水材同士を加硫接合することにより、前記一方の止水材と他方の止水材の各非水膨張性ゴム同士を接合することを特徴とする複合構造の止水材の接続構造。
【請求項２】
前記止水材の断面形状の大きさは、幅１０〜５０ｍｍ，高さ２〜１０ｍｍとされ、前記裏面側の中央部に形成される非水膨張性ゴムは、前記止水材の断面形状の大きさに対し、幅３０〜７０％，高さ１０〜５０％とされていることを特徴とする請求項１記載の止水材の接続構造。
【請求項３】
シールドトンネルを構築する土木工事用セグメントであって、対向して対となる一対の接合面と、該接合面に隣り合い対向して対となる一対の連接面とを有する略矩形板状あるいは略台形板状に形成されたセグメントの止水構造において、
前記セグメントの各接合面及び各連接面に形成され、地山に対接する前記セグメントの外側面側に位置し、前記各接合面及び連接面の長手方向に沿うとともに、前記各面の両端の角部分にてそれぞれ連続形成する外側取付溝と、
前記一対の各連接面に形成され、該連接面における坑内側となる前記セグメントの内側面側に、前記外側取付溝に平行となって形成される内側取付溝と、
前記一対の各接合面における長手方向両端近傍にそれぞれ位置して形成され、前記外側取付溝より分岐し、坑内側となる前記セグメントの内側面側に延びるとともに、前記接合面の両端の各角部分に延出し、前記各内側取付溝の両端に連続形成される一対の連結取付溝と、
前記外側取付溝に装着される無端な環状に形成される外側シール部と、該外側シール部に両端が接続され前記内側取付溝及び連結取付溝に装着される一対の内側シール部と、を備え可撓性を有する水膨張性ゴムよりなる止水材と、
を具備したことを特徴とするセグメントの止水構造。
【請求項４】
前記止水材は、水膨張性ゴム本体の裏面の中央部に非水膨張性ゴムが複層形成されており、前記非水膨張性ゴムが前記各溝内底面に対接する接着面とされていることを特徴とする請求項３記載のセグメントの止水構造。
【請求項５】
前記止水材の外側シール部と内側シール部との接続部分は、外側シール部の側面に前記非水膨張性ゴムが露出する深さ及び該側面に接続される内側シール部の形状に切欠形成される凹部が形成され、該凹部内に前記内側シール部の端部を嵌入させて、該接続部分の止水材同士を加硫接合することにより、前記外側シール部の非水膨張性ゴムと内側シール部の非水膨張性ゴムとを接合させていることを特徴とする請求項４記載のセグメントの止水構造。
【発明の詳細な説明】
【０００１】
【発明の属する技術分野】
本発明は、シールドトンネルの内壁を構成する土木工事用セグメントに装着される止水材の接続構造と、多数のセグメントを結合ボルトなどにより互いに接合させる際の各接合部分における止水構造に関するものである。
【０００２】
【従来の技術】
トンネル工事の施工法であるシールド工法は、湾曲した矩形板状のセグメントを用い、このセグメントを、坑道内の周壁方向と坑道の長さ方向との両方向に沿わせて複数連結させてトンネルの内壁を構築するようになっている。
【０００３】
各セグメント同士の連結部分となるセグメントの４つの端面には、セグメント同士を連結させるために、坑内側であるセグメントの内側面に、各端面に近接して形成された凹部より端面にかけて穿設された孔を介して、接合されるセグメント同士を、貫通する結合ボルト等によって締着させ互いを連結するようになっている。
【０００４】
そして、このセグメントによる施工において、坑道の地山からの湧水が坑道内に漏水することを防止するために、連結される各セグメントの目地となる対向する各端面には、止水処理が施されるようになっている。
この止水処理は、各端面に取付溝を形成させ、この取付溝に略半部が突出するように帯形状のゴムよりなる止水材を接着固定させ、両端面を対向させ連結させる際に、両止水材を密着させるようになっている。
【０００５】
特に、近年では、大口径シールドトンネルの施工を行うために、各セグメントが大型化されており、前記端面の幅長が大きく形成されていることから、各セグメントの連結状態を安定させるように、この端面に互いに平行な２本の取付溝を形成し、これら取付溝に２本の止水材、或いは止水材と緩衝材とを装着させるように、すなわち、２重構造となるように設けるようになっている。
【０００６】
【発明が解決しようとする課題】
しかしながら、上述した従来の止水構造によると、セグメントの端面において、止水材等が装着されることから、セグメント同士を連結させる連結構造をこれら止水材等に干渉しない位置に配設する構造としなければならず、すなわち、止水材等の間隙部分に貫通孔を穿設することから、大径な貫通孔を穿設できず、セグメント同士の連結構造として信頼性を得難い構造となるおそれがある欠点を有している。
【０００７】
また、これら止水材等が、連結されるセグメント同士の対向する端面間に位置することから、その連結構造に制限を要することとなり、上記のように十分な連結構造とされないこととなるとともに、十分な止水効果を得られないおそれがある。
【０００８】
そこで本発明は、上記問題点を解消するために、セグメント同士の連結状態を確実なものとするとともに、連結されたセグメント間の止水効果を得ることのできる止水材の接続構造とセグメントの止水構造を提供することを目的としている。
【０００９】
【課題を解決するための手段】
次に、上記の課題を解決するための手段を、実施の形態に対応する図面を参照して説明する。
この発明の止水材の接続構造は、水膨張性ゴムよりなる本体部の裏面側の中央部に非水膨張性ゴムを有する複層構造のシールドトンネル用止水材を略Ｔ字状に接続成形する止水材の接続構造において、一方の止水材には前記本体部の側面に前記非水膨張性ゴムが露出する深さ及び該側面に接続される他方の止水材の形状に切欠形成された凹部１３ｂが形成され、該凹部１３ｂ内に前記他方に止水材の端部を嵌入させて、該接続部分の止水材同士を加硫接合することにより、前記一方の止水材と他方の止水材の各非水膨張性ゴム同士を接合することを特徴としている。
【００１０】
なお、前記止水材の断面形状の大きさは、幅１０〜５０ｍｍ，高さ２〜１０ｍｍとされ、前記裏面側の中央部に形成される非水膨張性ゴムは、前記止水材の断面形状の大きさに対し、幅３０〜７０％，高さ１０〜５０％とされている構成が好ましい。
【００１１】
また、この発明のセグメントの止水構造は、シールドトンネルを構築する土木工事用セグメント１であって、対向して対となる一対の接合面２と、該接合面２に隣り合い対向して対となる一対の連接面３とを有する略矩形板状あるいは略台形板状に形成されたセグメントの止水構造において、
前記セグメント１の各接合面２及び各連接面３に形成され、地山に対接する前記セグメント１の外側面４側に位置し、前記各接合面２及び連接面３の長手方向に沿うとともに、前記各面２，３の両端の角部分６にてそれぞれ連続形成する外側取付溝５と、
前記一対の各連接面３に形成され、該連接面３における坑内側となる前記セグメント１の内側面７側に、前記外側取付溝５に平行となって形成される内側取付溝８と、
前記一対の各接合面２における長手方向両端近傍にそれぞれ位置して形成され、前記外側取付溝５より分岐し、坑内側となる前記セグメント１の内側面７側に延びるとともに、前記接合面２の両端の各角部分６に延出し、前記各内側取付溝８の両端８ａに連続形成される一対の連結取付溝９と、
前記外側取付溝５に装着される無端な環状に形成される外側シール部１３と、該外側シール部１３に両端が接続され前記内側取付溝８及び連結取付溝９に装着される一対の内側シール部１４と、を備え可撓性を有する止水材１２と、
を具備したことを特徴としている。
【００１２】
なお、前記止水材１２は、水膨張性ゴム本体１２ａの裏面の中央部に非水膨張性ゴム１２ｂが複層形成され、前記非水膨張性ゴム１２ｂが前記各溝内底面に対接する接着面１２ｃとされる構造としてもよい。
特に、前記止水材１２の外側シール部１３と内側シール部１４との接続部分は、前記非水膨張性ゴム１２ｂと水膨張性ゴム１２ａとが連続して積層形成される構造が好ましく、すなわち、前記止水材１２の外側シール部１３と内側シール部１４との接続部分が、外側シール部１３の側面に前記非水膨張性ゴム１２ｂが露出する深さ及びこの側面に接続される内側シール部１４の形状となる凹部１３ｂが形成され、この凹部１３ｂ内に前記内側シール部１４の端部を嵌入させて、この接続部分を加硫接合することにより、前記外側シール部１３の非水膨張性ゴム１２ｂと内側シール部１４の非水膨張性ゴム１２ｂとを接合させる構造とさせる。
なお、外側シール部１３と内側シール部１４との接合は、少なくとも非水膨張性ゴム１２ｂ同士を加硫接合させることとする構造とし、また、この加硫接合は、例えば、ゴム系加硫接着剤を用いて互いを接合させる。
【００１３】
このような構成により、セグメント１を連結する際に、セグメント１同士の対向する連接面３間では、外側取付溝５と内側取付溝８に外側シール部１３と内側シール部１４とが装着されて、二重の止水構造を得られ、また、対向する接合面２間では、外側取付溝５と連結取付溝９とに外側シール部１３と内側シール部１４の両端部分が装着され一部が一重の止水構造となる。
【００１４】
これにより、セグメント１同士を連結する接合面２間においては、大型な連結固定部材を使用可能となり、両セグメント１の連結を強固なものとすることが可能となる。
【００１５】
【発明の実施の形態】
図１は本発明によるセグメントの止水構造の実施の形態を示す斜視図、図２は同セグメントの端面である連接面及び接合面の各正面図である。
【００１６】
このセグメント１は、従来の技術でも述べたように、シールドトンネル工法に用いられるもので、図１に示すように、矩形板状に形成されるとともに、トンネル坑道の周壁方向ａに沿うように湾曲状に形成され、また、周面である４つの平滑な端面を有している。
【００１７】
各端面の周壁方向ａとなる長手方向の両端面は矩形状であり、対向して対となる接合面２とされている。
【００１８】
また、これら接合面２に隣り合う各端面である、坑道の長さ方向ｂとなる長手方向の両端面は、略弓形状に形成され、対向して対となる連接面３とされている。
【００１９】
各接合面２と各連接面３には、セグメント１の地山に対接する外側面４側に、各接合面２と各連接面３の長手方向に沿うように外側取付溝５がそれぞれ形成されている。
【００２０】
この外側取付溝５は、図２に示すように、各面の両端となるセグメント１の角部６に延び、隣り合う各面２，３の外側取付溝５の端部に接続し連続するように、すなわち溝５がセグメント１を周回するように形成されている。
【００２１】
次に、各面２，３における両連接面３には、図２（ａ）に示すように、セグメント１の坑内側となる内側面７側に、外側取付溝５と互いに平行となる内側取付溝８がそれぞれ形成されている。
【００２２】
また、各接合面２には、この接合面２における長手方向両端近傍にそれぞれ位置して一対の連結取付溝９が形成されている。
【００２３】
これら連結取付溝９は、図２（ｂ）に示すように、接合面２における外側取付溝５の長手方向両端近傍より分岐形成され、セグメント１の内側面７側に延出形成されるとともに、中途で屈曲し、接合面２の両端となるセグメント１の角部６へ延出して、連接面３の内側取付溝８の端部８ａに接続して連続するように形成されており、この接合面２において外側取付溝５とこの外側取付溝５に対して直角あるいは傾斜された各連結取付溝９とで略Ｔ字形状に形成されている。
【００２４】
すなわち、セグメント１の各連接面３と各接合面２との四面にて、外側取付溝５が連続して一周形成され、各連接面３では内側取付溝８とで２重の取付溝を有する構造とされ、各接合面２においては一部が一重の取付溝となるよう構成されている。
【００２５】
また、各連接面３及び各接合面２に近接するセグメント１の内側面７には、図１に示すように、それぞれ複数の凹部１０が各連接面３，接合面２に沿うように並設されており、セグメント１同士を連結するために使用される結合ボルトなどの連結固定部材が挿通される貫通孔１１が、凹部１０内から穿設されている。
【００２６】
なお、各連接面３の各貫通孔１１は、図２（ａ）に示すように、外側取付溝５と内側取付溝８との間に位置して設けられ、やや小型に形成されており、各接合面２の各貫通孔１１は、図２（ｂ）に示すように、左右連結取付溝９の間に位置し、やや大きく形成されている。
【００２７】
次に、上記取付溝５，８，９に装着される止水材１２は、クロロプレンゴム，エチレン−プロピレン−ジエンゴム，スチレン−ブタジエンゴムなどの合成ゴムや天然ゴム等のゴム成分に、アクリル酸系，ウレタン系，イソブチレン−無水マレイン酸系などの水膨張性樹脂と無機充填材や加硫剤を配合した組成物を、押出成形し、加硫したもので、断面形状は、矩形や六角形等の多角形若しくは表面側の長さ方向に１又は複数の凸条が形成されたものでもよく、好ましくは矩形状に形成されるとともに、図３に示すように、水膨張性ゴム材料１２ａが非水膨張性ゴム材料１２ｂの一部を除く外周面を覆うような断面形状に形成された帯状部材であり、非水膨張性ゴム材料１２ｂが表出する一面が裏面となり接着面１２ｃとされている。
【００２８】
この水膨張性ゴム材料１２ａの水膨張倍率（重量比）は、１．６〜１５倍、好ましくは２〜１０倍であり、非水膨張性ゴム材料１２ｂは、上記の水膨張性ゴム材料１２ａの基本配合から水膨張性樹脂を抜いたもの或いは僅かに配合した組成物からなり、その水膨張倍率（重量比）が１．２倍以下、好ましくは１．１倍以下のものである。
【００２９】
図３に示す複層構造の止水材１２の場合、これらの組成物を２台の押出機を使用した共押出成形し、加硫することにより製造することができる。
【００３０】
前記止水材１２の断面形状の大きさについては、幅が１０〜５０ｍｍ、好ましくは１５〜３０ｍｍ、高さが２〜１０ｍｍ、好ましくは３〜７ｍｍの範囲である。
【００３１】
また、前記裏面側の中央部に形成された非水膨張性ゴム１２ｂは、止水材全体の大きさに対し、幅が３０〜７０％、好ましくは３５〜６５％、高さが１０〜５０％、好ましくは２０〜４０％の範囲である。
【００３２】
そして、この止水材１２は、外側シール部１３と内側シール部１４とで構成されている。
【００３３】
外側シール部１３は、略矩形状の無端な環状に形成されるとともに、内周面に接着面１２ｃとなる非水膨張性ゴム材料１２ｂが表出し、外周面及び両側面が水膨張性ゴム材料部分となるよう成形されている。
【００３４】
この外側シール部１３の四辺となる略真直な各辺部１３ａは、図１に示すように、セグメント１の接合面２及び連接面３の長手方向の長さと略同等の長さに設定され、各辺部１３ａのセグメント１の接合面２に対応する対向した一対の各辺部１３ａには、その辺部１３ａにおける両端近傍の側面が、水膨張性ゴム材料部分１２ａを切り込まれ、非水膨張性ゴム材料１２ｂの一部が側面より表出するように凹部１３ｂがそれぞれ形成されている。
【００３５】
各凹部１３ｂは、真直な辺部１３ａの長手方向に対して所定の角度に傾斜して形成されており（図４及び図５参照）、この外側シール部１３をセグメント１に装着した状態で、接合面２の連結取付溝９と外側取付溝５との分岐部分にそれぞれ対応する位置となるように形成されている。
【００３６】
次に、内側シール部１４は、一対で構成されており、図１に示すように、セグメント１の連接面３の長手方向の長さと略同等の長さに設定される辺部１４ａと、辺部１４ａの両端に角部１４ｂを介して接続される連結部１４ｃとで構成されている。
角部１４ｂは、辺部１４ａに対して内面となる接着面１２ｃの方向に略直角となるように折曲形成されている。
【００３７】
また、連結部１４ｃは、辺部１４ａの長手方向の延長線に対して所定の角度に傾斜するように接続成形されている。この傾斜角度は、セグメント１の接合面２における連結取付溝９の形成角度と同等に設定されている。
【００３８】
そして、これら一対の内側シール部１４は、各両端の連結部１４ｃ先端が、図５に示すように、外側シール部１３の凹部１３ｂに接合され、各ゴム材料部分すなわち水膨張性ゴム材料部分同士と非水膨張性ゴム材料部分同士にゴム系加硫接着剤を塗布し突き合わせることにより加硫接着させて一体成形されるようになっている。
【００３９】
すなわち、これら内側シール部１４と外側シール部１３との接続された止水材１２の形状は、図１に示すように、略矩形状の無端環状の外側シール部１３に、一対の内側シール部１４による二重部分が２ヵ所成形されるとともに、外側シール部１３のみの一重部分が２ヵ所形成されるようになっている。
【００４０】
なお、この止水材１２は、トンネル施工現場にて、セグメント１の各溝５，８，９に装着されるようになっており、すなわち止水材１２の各部１３，１４は、略真直な部分と屈曲した角部、外側シール部１３と内側シール部１４とを連結させる連結部１４ｃとが、それぞれ別体に形成され、セグメント１への装着時に各部１３ａ，１４ａ，１４ｂ，１４ｃを接合し、同時にセグメント１の各溝５，８，９に接着固定されるようになっている。
【００４１】
すなわち、図４に示すように、外側シール部１３においては、各辺部１３ａを構成する略真直な４つの真直部１３Ａと、接着面１２ｃを内面とする略直角なＬ字状に折曲形成された４つの角部１３Ｂにて構成され、各角部１３Ｂの接合面２に対応する一端の側面に前述した凹部１３ｂが形成されており、また、内側シール部１４においては、略真直な真直部１４Ａと、前記角部１３Ｂと略同形状に形成される一対の角部１４Ｂと、略真直な一対の連結部１４ｃにて構成されている。なお、外側シール部１３を構成する各真直部１３Ａ，角部１３Ｂの接合端面は、それぞれ長手方向に直交する面で構成されており、内側シール部１４の真直部１４Ａ及び角部１４Ｂの他端の接合端面は長手方向に対し直交する面とされ、角部１４Ｂの接合面２に対応する一端の接合端面及び連結部１４ｃの両接合端面は傾斜面とされている。
【００４２】
そして、この止水材１２は、外側及び内側の各シール部分１３，１４を形成するように各部１３Ａ，１３Ｂ，１３ｃ，１４Ａ，１４Ｂ，１４ｃの各端面を加硫接合し、無端な環状に形成し、かつ、セグメント１の接合面２及び連接面３に形成されている取付溝５，８，９に接着などの固定手段によって装着される。
【００４３】
装着された状態では、外側シール部１３が外側取付溝５に装着され、内側シール部１４が内側取付溝８に装着されるとともに、この内側シール部１４の両端の連結部１４ｃが連結取付溝９に装着される。
【００４４】
なお、各取付溝５，８，９に装着された状態の止水材１２の各シール部１３，１４は、図３に示すように、接合面２及び連接面３から突出するように装着される。
【００４５】
従ってこのように構成されたセグメントの止水構造によれば、セグメント１同士を連結する際に、坑道の長さ方向ｂの連結は、隣り合うセグメント１の連接面３同士を対向させて、各連接面３に設けられている貫通孔１１を介し、結合ボルトなどの連結固定部材を、両セグメント１の各凹部１０内より挿通させ締結させることで連結させることとなる。
このとき、対向する各連接面３に装着されている止水材１２は、外側シール部１３，内側シール部１４のそれぞれが対接することとなり、連接面３間にて二重の止水構造となる。
【００４６】
また、坑道の周壁方向ａの連結は、隣り合うセグメント１の接合面２同士を対向させて、各接合面２に設けられている貫通孔１１を介し、結合ボルトなどの連結固定部材を、両セグメント１の各凹部１０内より挿通させて締結させることで連結させることとなる。
このときの、対向する各接合面２に装着されている止水材１２は、外側シール部１３とこの外側シール部１３と内側シール部１４とを連結する連結部１４ｃとがそれぞれ対接することとなり、接合面２間にて一部が一重の止水構造となる。
【００４７】
そして、この接合面２におけるセグメント１の連結構造は、連接面３における連結構造に比べ大型な連結固定部材が使用され、これにより、両セグメント１同士の連結が強固なものとなる。
【００４８】
すなわち、この接合面２に装着される止水材１２は、連接面３のように二重に止水材１２が装着されずに、一部が一重の構造であることから、セグメント１同士を連結するための連結固定部材を大きく構成させることが可能となる。
【００４９】
これにより、セグメント１同士の連結状態を確実なものとすることが可能となる。
【００５０】
また、接合面２における一部一重の止水材を、外側シール部１３と内側シール部１４とを連結する連結部１４ｃの接合端面が同材質のゴム部材同士とされていることから、すなわち、上記実施の形態では外側シール部１３に凹部１３ｂを形成し、この凹部１３ｂに内側シール部１４の端部となる連結部１４ｃの端部を嵌入して加硫接合する構造であることから、接合する面積を大きく採れ、これにより確実に外側シール部１３と内側シール部１４とを一体化成形させることとなり、この接合面２における止水効果を十分に得ることが可能となる。
【００５１】
なお、上述した実施の形態では、止水材１２の構造を、非水膨張性ゴム材料１２ｂの一部を除く外周面を水膨張性ゴム材料１２ａにて覆うような断面形状に形成させた例について述べたが、この止水材１２は、水膨張性ゴム材料１２ａの一部を除く外周面を非水膨張性ゴム材料１２ｂにて覆うような断面形状に形成させた構造としてもよい。
この場合も、同材質部分同士を接合させるように構成し、すなわち、外側シール部１３の側面に切り込み凹部１３ｂを形成させ、この凹部１３ｂに接合される端面が嵌入して接合されるように構成する。
【００５２】
また、上述した実施の形態では、止水材１２の断面形状を矩形状とした例について述べたが、これに限定されることはなく、また、非水膨張性ゴムと水膨張性ゴムとを積層形成させた構造とした例について述べたが、いずれかの素材のみにて形成される止水材としてもよい。
【００５３】
また、上述した実施の形態では、セグメント１の接合面２を、坑道の周壁方向ａとなるセグメント１の長手方向の両端面とし、連接面３を、坑道の長さ方向ｂとなるセグメント１の長手方向の両端面とする例について述べたが、坑道の周壁方向ａとなるセグメント１の長手方向の両端面を連接面３とし、坑道の長さ方向ｂとなるセグメント１の長手方向の両端面を接合面２として構成してもよく、すなわち、坑道の長さ方向ｂに、止水材１２の一重部分が位置し、坑道の周壁方向ａに止水材１２の二重部分が位置するよう構成してもよい。
【００５４】
さらに、上述した実施の形態では、セグメント１同士を連結する連結固定部材を結合ボルトにて構成する例について述べたが、これに限定されることはなく、連結固定部やセグメントの接合面や連接面の凹凸の嵌合構造などにより回避する必要がある場合に有効である。
【００５５】
【発明の効果】
以上説明したように本発明によるセグメントの止水構造によれば、セグメント同士を連結する際に、隣り合うセグメントの対向する連接面間には、これら連接面の外側取付溝と内側取付溝に装着されている止水材が、外側シール部，内側シール部のそれぞれが対接することとなり、この連接面間にて二重の止水構造となり、また、隣り合うセグメントの対向する接合面間には、これら接合面の外側取付溝と連結取付溝に装着されている止水材が、外側シール部とこの外側シール部に連結される内側シール部の両端がそれぞれ対接することとなり、この接合面間にて一部が一重の止水構造となる。
【００５６】
すなわち、接合面に装着される止水材が、連接面のように二重に止水材が装着されずに、一部が一重の構造となることから、セグメント同士を連結するための連結固定部材を大きく構成させることが可能となる効果が得られる。
【００５７】
そして、この接合面におけるセグメントの連結構造に、大型な連結固定部材を使用でき、凹凸の嵌合構造のセグメントを使用した場合の止水性も良好となり、また両セグメント同士の連結が強固なものとなる効果が得られる。
【００５８】
また、非水膨張性ゴムと水膨張性ゴムとが複層形成された止水材が、外側シール部と内側シール部とを連結する接合部分を、同材質のゴム部材同士とし、すなわち、これら外側シール部と内側シール部との接続部分を、外側シール部の側面に前記非水膨張性ゴムが露出する深さ及びこの側面に接続される内側シール部の形状となる凹部を切欠形成して、この凹部内に前記内側シール部の端部を嵌入させて、この接続部分にて加硫接合することにより、外側シール部の非水膨張性ゴムと内側シール部の非水膨張性ゴムとを直接接合させているので、この接合部分における接続強度を向上させることが可能となり、そして、非水膨張性ゴムと水膨張性ゴムとが連続して積層形成されることとなり、この接合部分における十分な止水効果を発揮できるという効果が得られる。
【図面の簡単な説明】
【図１】本発明によるセグメントの止水構造の実施の形態を示す斜視図
【図２】（ａ）同セグメントの端面である連接面の正面図
（ｂ）同セグメントの端面である接合面の正面図
【図３】同セグメントの止水材の取付状態を示す断面図
【図４】同止水材の分解斜視図
【図５】図４における一部拡大分解斜視図
【符号の説明】
１…セグメント
２…接合面
３…連接面
４…外側面
５…外側取付溝
６…角部
７…内側面
８…内側取付溝
８ａ…端部
９…連結取付溝
１２…止水材
１２ａ…水膨張性ゴム
１２ｂ…非水膨張性ゴム
１２ｃ…接着面
１３…外側シール部
１３ｂ…凹部
１４…内側シール部
【図１】
0003772437.tif 000002
【図２】
0003772437.tif 000003
【図３】
0003772437.tif 000004
【図４】
0003772437.tif 000005
【図５】
0003772437.tif 000006